(57)【要約】【課題】貯湯タンクから加熱手段を経由して貯湯タンクに戻る流路の凍結破壊等による漏水を、追加部品を設置することなく検知することが可能な貯湯式給湯機を提供すること。【解決手段】本発明の貯湯式給湯機１は、湯水を貯留する貯湯タンク１０と、水を加熱する加熱手段（ヒートポンプユニット３）と、貯湯タンク１０から加熱手段へ送水する経路（下部配管１３）の途中に設けられた循環ポンプ６と、循環ポンプ６を駆動するモータの電流または回転を検知する検知手段と、循環ポンプ６の非稼動時にモータの電流または回転が生じていることが検知手段により検知された場合に、漏水判定を行う漏水判定手段（制御部５０）と、を備える。【選択図】図１
2014231960.tif 000002
【特許請求の範囲】
【請求項１】
湯水を貯留する貯湯タンクと、
水を加熱する加熱手段と、
前記貯湯タンクから前記加熱手段へ送水する経路の途中に設けられた循環ポンプと、
前記循環ポンプを駆動するモータの電流または回転を検知する検知手段と、
前記循環ポンプの非稼動時に前記モータの電流または回転が生じていることが前記検知手段により検知された場合に、漏水判定を行う漏水判定手段と、
を備える貯湯式給湯機。
【請求項２】
前記加熱手段から前記貯湯タンクへ送水する経路の途中に配置され、湯水の逆流を阻止する逆止手段を備える請求項１記載の貯湯式給湯機。
【請求項３】
前記貯湯タンクに給水する給水経路の流れを遮断可能な開閉手段を備え、
前記漏水判定手段の判定結果に基づいて、前記開閉手段を閉じる請求項１または２記載の貯湯式給湯機。
【請求項４】
前記貯湯タンクから前記加熱手段へ送水する経路の流れを遮断可能な第２の開閉手段を備え、
前記漏水判定手段の判定結果に基づいて、前記第２の開閉手段を閉じる請求項１乃至３の何れか１項記載の貯湯式給湯機。
【請求項５】
前記モータの電流値または回転速度が予め設定された閾値より低い場合には、漏水判定をしない請求項１乃至４の何れか１項記載の貯湯式給湯機。
【請求項６】
初めて使用されるとき、または使用休止期間の後に使用が再開されるときには、漏水判定をしない請求項１乃至５の何れか１項記載の貯湯式給湯機。
【請求項７】
外部の給湯端末へ出湯中である場合には、漏水判定をしない請求項１乃至６の何れか１項記載の貯湯式給湯機。
【発明の詳細な説明】
【技術分野】
【０００１】
本発明は、貯湯式給湯機に関する。
【背景技術】
【０００２】
例えばヒートポンプ装置等の加熱手段により沸き上げた湯を貯留する貯湯タンクを備えた貯湯式給湯機が広く用いられている。貯湯式給湯機には、ヒートポンプ装置を搭載したヒートポンプユニットと、貯湯タンクを搭載したタンクユニットとが別体になっており、ヒートポンプユニットとタンクユニットとの間が、湯水をやり取りするための外部配管を介して接続されている構成のものがある。ヒートポンプユニットは、外気の熱を冷媒に吸熱させるため、屋外に設置される。タンクユニットは、屋内に設置される場合と屋外に設置される場合との両方がある。何れにせよ、ヒートポンプユニットとタンクユニットとを接続する外部配管の少なくとも一部は屋外を通る。このような貯湯式給湯機では、外気温が氷点下となるような場合に、外部配管内に停滞した水が凍結することを防止するため、何らかの対策（例えば、外部配管に水を循環させる凍結防止運転を行うことなど）を講ずる必要がある。しかしながら、施工時のミス、使用上の操作のミス、あるいは停電等に起因して、凍結防止の対策が正常に機能しなかったような場合には、外部配管が凍結する可能性がある。凍結により外部配管が破壊すると、漏水が発生する可能性がある。また、外部配管だけでなく、ヒートポンプユニット内の水流路が凍結して漏水が発生する可能性もある。これらの漏水が万一発生した場合には、漏水の被害が拡大することを防止するために、漏水を自動的に検知できるようにすることが望まれる。
【０００３】
特許文献１には、給湯用熱交換器を加熱するバーナの燃焼排ガスの潜熱を回収する潜熱回収用熱交換器と、潜熱回収用熱交換器で燃焼排ガスが水で冷やされて発生した酸性結露水を中和するための中和回路と、中和回路内に設けた漏水検知手段とを備え、漏水検知手段からの信号に基づき、潜熱回収用熱交換器での給湯側回路からの漏水を検知できるようにした給湯装置が開示されている。そして、同文献には、漏水検知手段として、漏水水位電極、流量センサ、あるいは流量スイッチ等を用いることが開示されている。
【先行技術文献】
【特許文献】
【０００４】
【特許文献１】特開２００７−１１３８１４号公報
【発明の概要】
【発明が解決しようとする課題】
【０００５】
特許文献１に開示された漏水水位電極、流量センサ、流量スイッチ等の漏水検知手段を適用して、貯湯式給湯機のヒートポンプユニットとタンクユニットとを接続する外部配管からの漏水を検知することも可能である。しかしながら、そのような漏水水位電極、流量センサ、流量スイッチ等の部品は、漏水を検知するための専用の追加部品となるため、コストが高くなるという問題がある。また、そのような漏水を検知するため専用の部品が経年により故障し、肝心なときに漏水を検知できないという場合も考えられる。
【０００６】
本発明は、上述のような課題を解決するためになされたもので、貯湯タンクから加熱手段を経由して貯湯タンクに戻る流路の凍結破壊等による漏水を、追加部品を設置することなく検知することが可能な貯湯式給湯機を提供することを目的とする。
【課題を解決するための手段】
【０００７】
本発明に係る貯湯式給湯機は、湯水を貯留する貯湯タンクと、水を加熱する加熱手段と、貯湯タンクから加熱手段へ送水する経路の途中に設けられた循環ポンプと、循環ポンプを駆動するモータの電流または回転を検知する検知手段と、循環ポンプの非稼動時にモータの電流または回転が生じていることが検知手段により検知された場合に、漏水判定を行う漏水判定手段と、を備えたものである。
【発明の効果】
【０００８】
本発明によれば、貯湯タンクから加熱手段を経由して貯湯タンクに戻る流路の凍結破壊等による漏水を、追加部品を設置することなく検知することが可能となる。
【図面の簡単な説明】
【０００９】
【図１】本発明の実施の形態１の貯湯式給湯機を示す構成図である。
【図２】外部配管が破壊して漏水が発生した場合に水が流れる経路を説明する図である。
【図３】本発明の実施の形態１の貯湯式給湯機における漏水判定のための制御動作を示すフローチャートである。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１の貯湯式給湯機を示す構成図である。図１に示すように、本実施の形態１の貯湯式給湯機１は、湯水を貯留する貯湯タンク１０を備えたタンクユニット２と、水を加熱する加熱手段としての機能を有するヒートポンプユニット３とを備えている。タンクユニット２と、ヒートポンプユニット３とは、外部配管４，５および電気配線（図示省略）を介して、互いに接続されている。
【００１２】
タンクユニット２には、配管の接続口として、ヒートポンプ往き口２ａと、ヒートポンプ戻り口２ｂと、給水口２ｃと、給湯口２ｄとが設けられている。外部配管４は、タンクユニット２のヒートポンプ往き口２ａと、ヒートポンプユニット３の入水口とを接続している。外部配管５は、ヒートポンプユニット３の出湯口と、タンクユニット２のヒートポンプ戻り口２ｂとを接続している。タンクユニット２の給水口２ｃには、水道等の外部の水源からの水をタンクユニット２へ供給する外部給水配管（図示省略）が接続される。タンクユニット２の給湯口２ｄには、外部の給湯端末（例えば、台所や洗面所の蛇口、シャワー、浴槽など）へ湯を送る外部給湯配管（図示省略）が接続される。
【００１３】
タンクユニット２内には、貯湯タンク１０のほか、循環ポンプ６と、混合弁７と、逆止弁８と、第１開閉弁９と、第２開閉弁１７と、流路切替手段１８と、制御部５０と、以下に述べる配管類とが設けられている。貯湯タンク１０内には、上側が高温、下側が低温になるように、温度成層を形成して、湯水を貯留可能である。貯湯式給湯機１の使用時には、貯湯タンク１０内は常に満水状態に維持される。貯湯タンク１０の下部には、第１下部口１０ａと、第２下部口１０ｂとが設けられている。貯湯タンク１０の上部には、上部口１０ｃが設けられている。給水配管１１は、給水口２ｃと、貯湯タンク１０の第１下部口１０ａとを接続している。外部給水配管から給水口２ｃに供給された水は、給水配管１１を通って、第１下部口１０ａから貯湯タンク１０内に流入する。第１開閉弁９は、給水配管１１の途中に配置されている。第１開閉弁９は、貯湯タンク１０に給水する給水経路である給水配管１１の流れを遮断可能な開閉手段としての機能を有する。給水配管１１の途中（図示の構成では、貯湯タンク１０と第１開閉弁９との間）から、給水配管１２が分岐している。給水配管１２は、混合弁７の第１流入口に接続されている。給水配管１２を通って、水が混合弁７に供給される。下部配管１３は、貯湯タンク１０の第２下部口１０ｂと、ヒートポンプ往き口２ａとを接続している。下部配管１３の途中に、循環ポンプ６と、第２開閉弁１７とが配置されている。図示の構成では、循環ポンプ６の上流側に第２開閉弁１７が配置されている。第２開閉弁１７は、貯湯タンク１０からヒートポンプユニット３へ送水する経路である下部配管１３の流れを遮断可能な第２の開閉手段としての機能を有する。上部配管１４は、ヒートポンプ戻り口２ｂと、貯湯タンク１０の上部口１０ｃとを接続している。逆止弁８は、ヒートポンプユニット３から貯湯タンク１０へ送水する経路である上部配管１４の途中に配置されている。逆止弁８は、ヒートポンプ戻り口２ｂ側から貯湯タンク１０の上部口１０ｃ側へ流れる上部配管１４内の流れが逆流することを阻止する逆止手段としての機能を有する。出湯配管１５は、貯湯タンク１０の上部と、混合弁７の第２流入口とを接続している。図示の構成では、出湯配管１５は、貯湯タンク１０の上部口１０ｃ付近の上部配管１４から分岐している。給湯配管１６は、混合弁７の流出口と、給湯口２ｄとを接続している。流路切替手段１８は、逆止弁８の下流側の上部配管１４の途中に配置されている。バイパス配管１９は、流路切替手段１８と貯湯タンク１０の下部との間を接続している。流路切替手段１８は、ヒートポンプユニット３からタンクユニット２に戻った湯水を、上部配管１４を介して貯湯タンク１０の上部口１０ｃに送る状態と、バイパス配管１９を介して貯湯タンク１０の下部に送る状態とに、流路を切り替え可能になっている。
【００１４】
ヒートポンプユニット３は、詳細な図示を省略するが、空気の熱を吸収して水を加熱して湯とすることのできる冷凍サイクル装置（ヒートポンプサイクル装置）を搭載している。ヒートポンプユニット３内には、冷媒を圧縮する圧縮機、高温冷媒と湯水との熱交換を行う水−冷媒熱交換器、冷媒を膨張させる膨張弁、冷媒と空気との熱交換を行う空気−冷媒熱交換器、送風ファンなどの構成機器（図示省略）が搭載されている。
【００１５】
制御部５０は、ヒートポンプユニット３、循環ポンプ６、混合弁７、第１開閉弁９、第２開閉弁１７とそれぞれ電気的に接続されており、これらの動作を制御する。また、制御部５０は、湯水の温度を検出する温度センサ、湯水の流量を検出する流量センサ等の各種センサ（図示省略）と電気的に接続されている。更に、制御部５０は、ユーザーインターフェース装置としてのリモコン装置６０と相互に通信可能に接続されている。リモコン装置６０は、例えば浴室、台所などに設置される。制御部５０は、各センサで検出される情報、リモコン装置６０から得た使用者の指示情報等に基づいて、貯湯式給湯機１の動作を制御する。制御部５０は、通常時は、第１開閉弁９および第２開閉弁１７を共に開いた状態とする。
【００１６】
貯湯式給湯機１は、貯湯タンク１０内の水を加熱して湯を生成することにより貯湯タンク１０に蓄熱する貯湯運転を実施可能である。貯湯運転の際には、ヒートポンプユニット３および循環ポンプ６を稼動する。図１では、貯湯運転における湯水の循環経路を太線で示している。図１に示すように、貯湯運転の際には、循環ポンプ６により、貯湯タンク１０内の水が、第１下部口１０ａから導出され、下部配管１３および外部配管４を通って、ヒートポンプユニット３へ送られる。この水は、ヒートポンプユニット３内で加熱されて高温の湯となる。この湯は、外部配管５および上部配管１４を通って、上部口１０ｃから貯湯タンク１０内に流入する。貯湯運転の際、制御部５０は、ヒートポンプユニット３から流出する湯の温度が、目標の温度（例えば９０℃）になるように、ヒートポンプユニット３の動作、循環ポンプ６による水の流量等を制御する。
【００１７】
図示を省略するが、循環ポンプ６は、羽根車およびモータを有し、羽根車をモータにより回転駆動することで、水の流れを作る。すなわち、循環ポンプ６の稼動時には、電力の供給を受けて循環ポンプ６のモータの内蔵コイルに電流を流し、磁力を発生させることで、羽根車を回転させる。一方、循環ポンプ６が電力の供給を受けない非稼動時に、下部配管１３内に流れが生じた場合には、循環ポンプ６の羽根車が流れの力を受けて回転する。この際には、循環ポンプ６の羽根車がモータを回転させることとなり、内蔵コイルの磁力を発生させ、電流（以下、「回生電流」と称する）を発生させることになる。本実施の形態１では、循環ポンプ６のモータ電流を検出する電流センサが設けられている。循環ポンプ６の非稼動時に循環ポンプ６の羽根車が下部配管１３内の流れの力を受けて回転した場合には、制御部５０は、上記電流センサにより回生電流の発生を検知することができる。また、制御部５０は、この回生電流の検知により、循環ポンプ６のモータが回転していることを検知することができる。本実施の形態１では、制御部５０は、更に、回生電流の電流値あるいは周波数等に基づいて、循環ポンプ６のモータの回転速度を検知することができる。以下の説明では、循環ポンプ６のモータの回転速度を、単に「循環ポンプ６の回転速度」と呼ぶ場合があり、また、循環ポンプ６のモータの電流値を、単に「循環ポンプ６の電流値」と呼ぶ場合がある。
【００１８】
本実施の形態１の貯湯式給湯機１では、外気温が氷点下となるような場合に、外部配管４，５あるいはヒートポンプユニット３内に停滞した水が凍結することを防止するための方策として、凍結防止運転を行う機能を有している。凍結防止運転では、流路切替手段１８をバイパス配管１９側に切り替えて循環ポンプ６を稼動し、貯湯タンク２０の下部とヒートポンプユニット３との間で水を循環させる。これにより、外部配管４，５およびヒートポンプユニット３内の水を入れ換え、凍結を防止する。
【００１９】
上述した凍結防止運転が、何らかの理由（例えば停電）により、正常に機能しなかった場合、外部配管４，５あるいはヒートポンプユニット３内に停滞した水が凍結する可能性がある。そして、凍結による体積膨張により、外部配管４，５あるいはヒートポンプユニット３内の流路が破壊し、漏水が発生する可能性がある。図２は、外部配管４が破壊して漏水が発生した場合に水が流れる経路を太線で表している。図２に示すように、この場合には、タンクユニット２の給水口２ｃに接続された外部給水配管（図示省略）から供給される水が、給水配管１１、貯湯タンク１０、下部配管１３、外部配管４の順に流れ、外部配管４の破壊箇所から漏水する。また、図示を省略するが、ヒートポンプユニット３内の水流路が破壊して漏水した場合には、外部給水配管から供給される水が、給水配管１１、貯湯タンク１０、下部配管１３、外部配管４、ヒートポンプユニット３の順に流れ、ヒートポンプユニット３内の水流路の破壊箇所から漏水する。また、図示を省略するが、外部配管５が破壊して漏水した場合には、外部給水配管から供給される水が、給水配管１１、貯湯タンク１０、下部配管１３、外部配管４、ヒートポンプユニット３、外部配管５の順に流れ、外部配管５の破壊箇所から漏水する。これらの場合に、本実施の形態１では、上部配管１４に逆止弁８を設けたことにより、貯湯タンク１０側から上部配管１４、バイパス配管１９を水が逆流して漏水箇所へ流れることを防止することができる。
【００２０】
上記のように、外部配管４，５、ヒートポンプユニット３内の水流路の何れから漏水が発生した場合であっても、下部配管１３を通って水が流れる。このため、循環ポンプ６が非稼動状態であっても、循環ポンプ６を通る水の流れが発生することにより、循環ポンプ６の羽根車が回転し、循環ポンプ６のモータの回生電流が発生する。本実施の形態１では、制御部５０は、この回生電流を検知することにより、循環ポンプ６の回転を検知し、漏水判定を行うことができる。このようにして、本実施の形態１では、漏水を検知するための追加部品（例えば、漏水水位電極、流量センサ、流量スイッチ等）を設けることなく、漏水を検知することができる。このため、製造コストを抑制することができる。また、漏水を検知するための追加部品が経年により故障し、肝心なときに漏水を検知できないというようなことがないので、漏水を確実に検知することができる。また、循環ポンプ６の非稼動時、すなわち循環ポンプ６を駆動するための電流が流れていないときに、回生電流の発生に基づいて漏水判定を行うので、誤判定する可能性が小さい。このため、漏水判定を精度良く行うことができ、誤判定を抑制することができる。
【００２１】
本実施の形態１では、誤判定をより確実に抑制するため、循環ポンプ６のモータの電流値または回転速度が、予め設定された閾値より低い場合には、漏水と判定しないようにする。これにより、漏水が発生していない場合に誤って漏水と判定することをより確実に抑制することができる。上記閾値は、例えば次のようにして設定することができる。貯湯運転におけるヒートポンプユニット３での加熱温度を最高温度（例えば９０℃）にする場合に、水の循環流量は最小となるが、その最小値が例えば毎分０．６Ｌであるとする。貯湯運転における湯水の循環経路の流路抵抗が小さい場合（すなわち、外部配管４，５の長さが短い場合）において、循環流量を毎分０．６Ｌとする場合の、循環ポンプ６の回転速度が例えば５００ｒｐｍであるとする。この場合、循環ポンプ６の稼動時の最低の回転速度は、５００ｒｐｍとなる。漏水が発生した場合には、水源からの水圧（例えば１７０ｋＰａ以上）により、上述した最小の循環流量以上の流量が下部配管１３に流れると考えられる。そこで、漏水判定を行う循環ポンプ６の回転速度を、上述した最低回転速度である５００ｒｐｍとし、検知された循環ポンプ６の回転速度が５００ｒｐｍより低い場合には、漏水と判定しない。また、循環ポンプ６の回転速度が５００ｒｐｍのときの電流値が例えば０．００５Ａであるとすると、検知された循環ポンプ６の電流値が０．００５Ａより低い場合には、漏水と判定しない。
【００２２】
制御部５０は、漏水と判定した場合には、漏水が検知されたことを使用者に報知するための動作を行うことが望ましい。例えば、本実施の形態１では、制御部５０は、漏水と判定した場合には、漏水の発生をリモコン装置６０に通知し、リモコン装置６０に漏水の警告表示を行わせる。このようにして、本実施の形態１では、漏水が発生した場合に、漏水を迅速に検知し、使用者に報知することにより、漏水の被害が拡大することを確実に抑制することができる。
【００２３】
また、本実施の形態１では、制御部５０は、漏水と判定した場合には、給水配管１１に設けられた第１開閉弁９を自動的に閉じるように制御する。これにより、給水配管１１から供給され続ける水を第１開閉弁９にて遮断することができるため、給水配管１１からの水が漏水箇所へ流れ続ける状態を自動的に終息させることができる。このため、漏水の被害が拡大することをより確実に抑制することができる。
【００２４】
また、本実施の形態１では、貯湯式給湯機１が設置後初めて使用されるときには、制御部５０は、漏水判定をしないようにする。貯湯式給湯機１が初めて使用されるときには、給水配管１１から供給される水を貯湯タンク１０内および配管内に満たす動作が実施されるため、循環ポンプ６が非稼動の状態で下部配管１３内に水が流れ、循環ポンプ６の羽根車が回転する。この際に、貯湯式給湯機１の電源が投入されていた場合には、制御部５０が漏水と誤って判定する可能性がある。そこで、貯湯式給湯機１が初めて使用されるときには、漏水判定をしないようにすることにより、そのような誤判定を確実に防止することができる。なお、制御部５０を初期状態へ戻すリセットが行われた場合にも、リセット後初めての使用時において、漏水判定をしないようにしてもよい。
【００２５】
また、貯湯式給湯機１を長期間使用しない場合には、貯湯タンク１０の水を抜き、貯湯タンク１０内を空にすることが行われる。その後、貯湯式給湯機１の使用を再開する場合には、給水配管１１から供給される水を貯湯タンク１０内および配管内に満たす動作が再度実施される。この場合にも、上記と同様に、制御部５０が漏水と誤って判定する可能性がある。そこで、本実施の形態１では、貯湯式給湯機１の使用休止期間の後に貯湯式給湯機１の使用が再開される場合には、漏水判定をしないようにする。これにより、使用再開時に誤って漏水と判定することを確実に防止することができる。
【００２６】
また、外部の給湯端末（例えば、台所や洗面所の蛇口、シャワー、浴槽など）へ給湯するために出湯配管１５からの出湯がある場合に、貯湯タンク１０を通る経路と、ヒートポンプユニット３を通る経路とは、並列の関係にあるため、下部配管１３に流れが生じて循環ポンプ６の羽根車が回る可能性がある。このため、本実施の形態１では、出湯配管１５から出湯中の場合に、漏水判定をしないようにする。これにより、誤って漏水と判定することを確実に防止することができる。
【００２７】
また、本実施の形態１では、制御部５０は、漏水と判定した場合には、下部配管１３に設けられた第２開閉弁１７を自動的に閉じるように制御する。これにより、貯湯タンク１０から下部配管１３へ供給され続ける水を第２開閉弁１７にて遮断することができるため、貯湯タンク１０内の水が漏水箇所へ流れ続ける状態を自動的に終息させることができる。このため、漏水の被害が拡大することをより確実に抑制することができる。このように、本実施の形態１では、制御部５０は、漏水と判定した場合には、第１開閉弁９を閉じることに加えて、第２開閉弁１７を閉じるように制御する。これにより、漏水の被害が拡大することを確実に防止することができる。ただし、本発明では、第１開閉弁９と第２開閉弁１７との何れか一方のみを設け、制御部５０が漏水と判定した場合に、その一方の開閉弁のみを閉じるように制御してもよい。
【００２８】
図３は、本実施の形態１における漏水判定のための制御動作を示すフローチャートである。この制御動作は、制御部５０により実施される。制御部５０は、まず、循環ポンプ６の電流値と回転速度との何れか一方または両方を検知する（ステップＳ１）。以下の説明では、このステップＳ１で循環ポンプ６の電流値と回転速度との両方を検知するものとする。ステップＳ１に続いて、制御部５０は、循環ポンプ６が非稼動状態であるかどうかを確認する（ステップＳ２）。このステップＳ２で、循環ポンプ６が稼動状態である場合には、漏水判定をせず、漏水の発生をリモコン装置６０に通知しない（ステップＳ１３）。一方、ステップＳ２で、循環ポンプ６が非稼動状態であることが確認された場合には、貯湯式給湯機１の設置後の初めての使用ではないこと、すなわち初回動作でないことを確認する（ステップＳ３）。このステップＳ３で、貯湯式給湯機１の設置後の初めての使用である、すなわち初回動作であると判断された場合には、誤判定を防止するため、漏水判定をせず、漏水の発生をリモコン装置６０に通知しない（ステップＳ１３）。一方、ステップＳ３で、貯湯式給湯機１の設置後の初めての使用ではないこと、すなわち初回動作でないことが確認された場合には、使用休止期間の後に貯湯式給湯機１の使用が再開される場合でないことを確認する（ステップＳ４）。このステップＳ４の判断としては、例えば、貯湯式給湯機１の動作実績が無い状態が前日まで所定期間（例えば１週間、あるいは１ヶ月間）に渡って続いていた状況がないかどうかを判断する。このステップＳ４で、使用休止期間の後に貯湯式給湯機１の使用が再開される場合であると判断された場合には、誤判定を防止するため、漏水判定をせず、漏水の発生をリモコン装置６０に通知しない（ステップＳ１３）。一方、ステップＳ４で、使用休止期間の後に貯湯式給湯機１の使用が再開される場合でないことが確認された場合には、出湯配管１５から外部の給湯端末への出湯が無いかどうかを確認する（ステップＳ５）。このステップＳ５の判断は、例えば、出湯配管１５または給湯配管１６に設けられた流量センサ（図示省略）の信号に基づいてなされる。このステップＳ５で、出湯配管１５から出湯中であると判断された場合には、誤判定を防止するため、漏水判定をせず、漏水の発生をリモコン装置６０に通知しない（ステップＳ１３）。一方、ステップＳ５で、出湯配管１５からの出湯が無いことが確認された場合には、ステップＳ１で検知した循環ポンプ６の電流値が、予め設定された閾値（例えば、０．００５Ａ）以上であるかどうかを確認する（ステップＳ６）。このステップＳ６で、循環ポンプ６の電流値が閾値より低い場合には、誤判定を防止するため、漏水判定をせず、漏水の発生をリモコン装置６０に通知しない（ステップＳ１３）。一方、ステップＳ６で、循環ポンプ６の電流値が閾値以上であることが確認された場合には、ステップＳ１で検知した循環ポンプ６の回転速度が、予め設定された閾値（例えば、５００ｒｐｍ）以上であるかどうかを確認する（ステップＳ７）。このステップＳ７で、循環ポンプ６の回転速度が閾値より低い場合には、誤判定を防止するため、漏水判定をせず、漏水の発生をリモコン装置６０に通知しない（ステップＳ１３）。一方、ステップＳ７で、循環ポンプ６の回転速度が閾値以上であることが確認された場合には、制御部５０は、漏水が発生したと判定する。
【００２９】
以上のようにして漏水との判定を確定した場合には、制御部５０は、第１開閉弁９が設置されているかどうかを確認し（ステップＳ８）、第１開閉弁９が設置されている場合には第１開閉弁９を閉じる（ステップＳ９）。また、制御部５０は、第２開閉弁１７が設置されているかどうかを確認し（ステップＳ１０）、第２開閉弁１７が設置されている場合には第２開閉弁１７を閉じる（ステップＳ１１）。更に、制御部５０は、第１開閉弁９および第２開閉弁１７の有無にかかわらず、漏水が発生した旨をリモコン装置６０に通知する（ステップＳ１２）。リモコン装置６０は、この通知を受けて、漏水の警告表示等を行うことにより、漏水が検知されたことを使用者に報知する。
【符号の説明】
【００３０】
１  貯湯式給湯機、２  タンクユニット、２ａ  ヒートポンプ往き口、２ｂ  ヒートポンプ戻り口、２ｃ  給水口、２ｄ  給湯口、３  ヒートポンプユニット、４，５  外部配管、６  循環ポンプ、７  混合弁、８  逆止弁、９  第１開閉弁、１０  貯湯タンク、１０ａ  第１下部口、１０ｂ  第２下部口、１０ｃ  上部口、１１，１２  給水配管、１３  下部配管、１４  上部配管、１５  出湯配管、１６  給湯配管、１７  第２開閉弁、１８  流路切替手段、１９  バイパス配管、２０  貯湯タンク、５０  制御部、６０  リモコン装置
【図１】
2014231960.tif 000003
【図２】
2014231960.tif 000004
【図３】
2014231960.tif 000005